(57)【要約】【課題】開封を直ちに確認し得る封緘具を提供する。【解決手段】  再閉可能開封表示パッケージ２０は、クリップ１０８を作用外の第１の位置に保ったまま、第１の封緘具４６を咬合させるスライダ部材４０を移動することにより、反復開閉され得る。パッケージを閉じた後に開けられたことを表示したい場合は、クリップを作用する第２の位置に押し下げスライダを移動し第２の封緘具５０をも咬合させる。すると、第２の封緘具を開けると必ず表示が残る。スライダ部材は、天井壁９６、第１及び第２の側壁９８、１００、作用外位置から作用位置に移動するクリップを含む。封緘組み立て部品３８は、スライダ部材付ジッパー４２を含む。パッケージ使用方法は、クリップがジッパー封緘具の部分を圧締して開口部を開く間、スライダ部材を掴みクリップを押し下げ、クリップをジッパー封緘具の一部に当接させ、スライダ部材を第１の方向に移動することを含む。【選択図】図１
2009509648.tif 000002
【特許請求の範囲】
【請求項１】
ジッパー封緘具を有する再閉可能パッケージに用いるスライダ部材であって、
前記スライダ部材は、
天井壁と
前記天井壁から延設される第１の側壁と、
前記天井壁から延設される第２の側壁と、
前記天井壁、前記第１の側壁及び前記第２の側壁の少なくとも１つに固定され、作用外の第１の位置から、第２の位置に移動可能なクリップと、を有し、
前記天井壁、前記第１の側壁及び前記第２の側壁は、ジッパー封緘具が係入される空洞を形成し、
前記第２の位置は、前記ジッパー封緘具に対し押し当てられるように操作される前記クリップを含む、スライダ部材。
【請求項２】
前記クリップは、
第１の壁と、
第１の壁から延設される第１の脚部と、
第１の壁から延設される第２の脚部と、
を含む請求項１に記載のスライダ部材。
【請求項３】
前記クリップは、
前記天井壁に固定されている請求項２に記載のスライダ部材。
【請求項４】
前記第１の壁と前記天井壁との間に、前記クリップを前記天井壁に固定する可動ヒンジをさらに含む請求項３に記載のスライダ部材。
【請求項５】
前記クリップの前記第１の位置は、
前記空洞の外側にある前記第１及び第２の脚部と、
前記天井壁と角度をなす前記第１の壁と、
を含み、
前記クリップの前記第２の位置は、
少なくとも一部が前記空洞の内側にある前記第１及び第２の脚部と、
前記天井壁に接する前記第１の壁と、
を含む請求項４に記載のスライダ部材。
【請求項６】
前記天井壁は、
開口部を画定し、
前記第１及び第２の脚部は、
前記クリップが前記第１の位置から前記第２の位置に移動するとき、前記開口部を通って移動する
請求項５に記載のスライダ部材。
【請求項７】
前記スライダ部材が前記ジッパー封緘具に沿ってスライドするとき、前記ジッパー封緘具を少なくとも部分的に分離するように組み立てられ配置された、前記天井壁から延設されるスプリッタをさらに含む
請求項６に記載のスライダ部材。
【請求項８】
前記第１及び第２の側壁は、
前記第１及び前記第２の側壁に前記ジッパー封緘具の少なくとも一部を圧締させる大きさであり、
ジッパー圧締領域を決定する第１の幅と、
前記第１の距離よりも大きく、ジッパー非圧締領域を決定する第２の幅と、
を決定し、
前記第１及び第２の側壁のそれぞれは、
前記天井壁から離れた端部に１つの鉤形構造を有し、
前記ジッパー非圧締領域は、
各鉤形構造と前記ジッパー圧締領域との間に位置し、
前記第１の側壁は、
前記第１の脚部が係入される大きさの第１の溝部を形成し、
前記第２の側壁は、
前記第２の脚部が係入される大きさの第２の溝部を形成する
請求項７に記載のスライダ部材。
【請求項９】
前記クリップの前記第１の位置は、
前記空洞の外側にある前記第１及び第２の脚部を含み、
前記クリップの前記第２の位置は、
少なくとも一部が前記空洞の内側にある前記第１及び第２の脚部を含む
請求項２に記載のスライダ部材。
【請求項１０】
前記天井壁は、
開口部を画定し、
前記第１及び第２の脚部は、
前記クリップを前記第１の位置から前記第２の位置に移動させるために、前記開口部を通って移動する
請求項９に記載のスライダ部材。
【請求項１１】
前記スライダ部材が前記ジッパー封緘具に沿ってスライドするとき、前記ジッパー封緘具を少なくとも部分的に分離するように組み立てられ配置された、前記天井壁から延設されるスプリッタをさらに含む
請求項１に記載のスライダ部材。
【請求項１２】
前記第１及び第２の側壁は、
前記第１及び前記第２の側壁に前記ジッパー封緘具の少なくとも一部を圧締させる大きさであり、
ジッパー圧締領域を決定する第１の幅と、
前記第１の距離よりも大きく、ジッパー非圧締領域を決定する第２の幅と、
を決定する請求項１のスライダ部材。
【請求項１３】
前記第１及び第２の側壁のそれぞれは、
前記天井壁から離れた端部に１つの鉤形構造を有し、
前記ジッパー非圧締領域は、
各鉤形構造と前記ジッパー圧締領域との間に位置する、
請求項１２に記載のスライダ部材。
【請求項１４】
前記第１の側壁は、
前記第１の脚部が係入される大きさの第１の溝部を形成し、
前記第２の側壁は、
前記第２の脚部が係入される大きさの第２の溝部を形成する
請求項２に記載のスライダ部材。
【請求項１５】
請求項１に記載のスライダ部材と、
選択的に咬合するように組み立てられ配置された第１及び第２のジッパープロフィールを有するジッパー封緘具と、
前記ジッパー封緘具に沿ってスライドするように配置された前記スライダ部材と、
を有する封緘組み立て部品。
【請求項１６】
前記ジッパー封緘具は、
前記第１及び第２のジッパープロフィールによって形成される第１及び第２の封緘具を含み
前記第１の封緘具は、
前記スライダ部材がジッパー封緘具に沿って第１の方向に移動されるとき、咬合するように組み立てられ配置され、
前記第２の封緘具は、
前記スライダ部材がジッパー封緘具に沿って第１の方向に移動され、かつ、前記クリップが前記第２の位置にあるときは咬合するように組み立てられ配置され、前記クリップが前記第１の位置にあるときは咬合しないように配置される
請求項１５に記載の封緘組み立て部品。
【請求項１７】
前記スライダ部材は、
前記天井壁から延設されるスプリッタをさらに含み、
前記スプリッタは、
前記スライダ部材が前記ジッパー封緘具に沿って、前記第１の方向とは反対の第２の方向に移動されるとき、前記第１の封緘具を分離するように組み立てられ配置されている
請求項１６に記載の封緘組み立て部品。
【請求項１８】
前記スプリッタ及び前記第２の封緘具は、
前記スライダ部材が前記ジッパー封緘具に沿って前記第２の方向に移動されるとき、前記第２の封緘具が前記スプリッタによって分離されない
請求項１７に記載の封緘組み立て部品。
【請求項１９】
前記第２の封緘具は、
前記第２の封緘具が咬合するとき、及び咬合した後少なくとも一度分離されたとき、開封されたことを示す開封表示構造を含む
請求項１６に記載の封緘組み立て部品。
【請求項２０】
前記第２の封緘具は、
非拘束状態の頭部と、
前記頭部を前記第１のジッパープロフィールの残りの部分に結合する茎部を含む、前記第１のジッパープロフィール上の雄型プロフィール部材と、
前記雄型プロフィール部材を受容しそれと咬合する大きさの、前記第２のジッパープロフィール上の雌型プロフィール部材と、
を含む請求項１９に記載の封緘組み立て部品。
【請求項２１】
前記茎部は、
破断可能であって、
前記第２の封緘具に及ぼされた分離力に反応して破断されることによって前記頭部を前記第１のジッパープロフィールから分離する
請求項２０に記載の封緘組み立て部品。
【請求項２２】
前記雌型プロフィール部材は、
前記頭部が係入される大きさの受容空間に付された第１及び第２の腕部を含み、
前記第１及び第２の腕部のそれぞれは、
前記頭部が前記雌型プロフィール部材の前記空間内に位置したとき、前記頭部と噛み合うために前記空間側に延設された指部を含む
請求項２１に記載の封緘組み立て部品。
【請求項２３】
前記第２の封緘具は、
前記第１のジッパープロフィール上の第１及び第２のポストを含み、
前記雄型プロフィール部材が前記雌型プロフィール部材の内部に移動可能に位置したとき、
前記第１のポストは、
前記第１の腕部に当接し、
前記第２のポストは、
前記第２の腕部に当接する
請求項２２に記載の封緘組み立て部品。
【請求項２４】
前記クリップは、
第１の壁と、
第１の壁から延設される第１の脚部と、
第１の壁から延設される第２の脚部と、
を含み、
前記天井壁は、
開口部を画定し、
前記クリップの前記第２の位置は、
前記雄型プロフィール部材の前記頭部を前記雌型プロフィール部材の前記空間に対して押し付けるために、少なくとも部分的に前記天井壁の開口部を通り、前記空洞の内側に入り、前記第２の封緘具に当接し押し付けられる第１及び第２の脚部を含む
請求項２２に記載の封緘組み立て部品。
【請求項２５】
底部と、内部空間と、前記内部空間にアクセスするための開口部とを画定する包囲壁と、
選択的に咬合するように組み立てられ配置された第１及び第２のジッパープロフィールを有する前記ジッパー封緘具、及び前記ジッパー封緘具に沿ってスライドするスライダ部材を含む前記開口部に位置する前記封緘組み立て部品と、
を有する請求項１５ないし請求項２４の何れかに記載の封緘組み立て部品を有するパッケージ。
【請求項２６】
内部空間を決定する包囲壁と、開口部と、前記開口部に位置しジッパー封緘具、及び前記ジッパー封緘具上に位置するスライダ部材とを含む封緘組み立て部品を含むパッケージの使用方法であって、
スライダ部材を掴み、クリップを押し下げることによって前記クリップを前記ジッパー封緘具の一部に係合させること、及び
前記クリップが前記ジッパー封緘具の一部を圧締し、前記開口部を閉じる間に、前記スライダ部材を第１の方向に移動すること
を含むパッケージの使用方法。
【請求項２７】
スライダ部材を掴み、クリップを押し下げるステップの前に、
スライダ部材を掴み、前記スライダを第１の方向に移動し、前記ジッパー封緘具の第２の部分のみを圧締し、前記開口部を開封可能に閉じることをさらに含む
請求項２６に記載のパッケージの使用方法。
【請求項２８】
前記ジッパー封緘具は、
第１の封緘具と第２の封緘具を含み、
前記クリップが前記ジッパー封緘具の前記一部を圧締し、前記開口部を閉じる間に、前記スライダ部材を第１の方向に移動するステップは、
前記クリップが前記第２の封緘具を圧締し前記開口部を閉じる間に、前記スライダを第１の方向に移動することを含む
請求項２６に記載のパッケージの使用方法。
【請求項２９】
スライダ部材を掴み、クリップを押し下げるステップの前に、
スライダ部材を掴み、前記スライダを第１の方向に移動し、前記第１の封緘具のみを圧締し、前記第２の封緘具を圧締することなく、前記開口部を開封可能に閉じる
請求項２８に記載のパッケージの使用方法。
【請求項３０】
スライダ部材を掴み、クリップを押し下げるステップは、
ペアになった脚部を有するクリップを前記スライダ部材の天井壁の開口部を通して、前記第２の封緘具に押し当てることを含む
請求項２９に記載のパッケージの使用方法。
【請求項３１】
前記クリップが前記第２の封緘具を圧締し、前記開口部を閉じる間に、前記スライダ部材を第１の方向に移動するステップは、
前記第２の封緘具を固定状態にロックすることを含み、
前記第２の封緘具は、前記第２の封緘具の一部を引きちぎることなく開けられることができない
請求項２９に記載のパッケージの使用方法。
【請求項３２】
前記クリップを使用して前記第２の封緘具を閉じた後に、前記第２の封緘具を引きちぎることにより前記内部空間にアクセスすることをさらに含む
請求項２９に記載のパッケージの使用方法。
【請求項３３】
選択的に咬合されている状態と分離されている状態の間を移動するように組み立てられ配置されているペアのプロフィールを含む第１の封緘具と、
前記第１の封緘具に隣接し、選択的に咬合するように組み立てられ配置されているペアのプロフィールを含む第２の封緘具と
を有する開封表示ジッパー封緘具であって、
前記第２の封緘具は、前記第２の封緘具が咬合されたとき、及び咬合された後に少なくとも一度分離されたときに開封されたことを示す開封表示構造を含む
開封表示ジッパー封緘具。
【請求項３４】
前記第２の封緘具は、
一方の端部が自由に動く頭部と、前記頭部を前記第１のジッパープロフィールの残りの部分に結合する茎部とを含む第１のジッパープロフィール上の雄型プロフィール部材と、
前記雄型プロフィール部材を受容し、それと咬合する、第２のジッパープロフィール上の雌型プロフィール部材と
を有し、
前記茎部は、
破断可能であり、
前記第２の封緘具に及ぼされた分離力に反応し前記第１のジッパープロフィールの残りの部分から前記茎部を分離する
請求項３３に記載の開封表示ジッパー封緘具。
【請求項３５】
前記雌型プロフィール部材は、
前記頭部が係入される大きさの受容空間に付された第１及び第２の腕部を含み、
前記第１及び第２の腕部のそれぞれは、
前記頭部が前記雌型プロフィール部材の前記空間内に位置したとき、前記頭部と噛み合うために前記空間側に延設された指部を含み、
前記第２の封緘具は、
前記第１のジッパープロフィール上の第１及び第２のポストを含み、
前記雄型プロフィール部材が前記雌型プロフィール部材の内部に移動可能に位置したとき、
前記第１のポストは、
前記第１の腕部に当接し、
前記第２のポストは、
前記第２の腕部に当接する
請求項３４に記載の開封表示ジッパー封緘具。
【請求項３６】
前記第１の封緘具は、
前記第１のジッパープロフィール上に配設された第１の鉤形プロフィール部材と、
前記第２のジッパープロフィール上に配設された第２の鉤形プロフィール部材と、
前記第１の鉤形プロフィール部材に隣接する第１のジッパープロフィール上の第１の封緘ポストと、
を含み、
前記第１及び第２の鉤形プロフィール部材は、
選択的に咬合し分離するように組み立てられ配置され、
前記第２の鉤形プロフィール部材は、
前記第１及び第２の鉤形プロフィール部材が咬合したとき、
前記第１の封緘ポストと前記第１の鉤形プロフィール部材との間の隙間の中に係入される
請求項３４に記載の開封表示ジッパー封緘具。
【請求項３７】
前記第１の封緘具は、
第１の材質を含み、
前記第２の封緘具は、
前記第１の材質とは異なる第２の材質を含む
請求項３３に記載の開封表示ジッパー封緘具。
【発明の詳細な説明】
【技術分野】
【０００１】
本開示は、一般的には封緘具付きパッケージに関し、特に、開封表示付き再閉可能パッケージ及び開封表示付きパッケージを使用する方法に関する。
【背景技術】
【０００２】
再閉可能パッケージは便利である。なぜならば、内容物を保存し、収容するために閉じられ、また封をされ得るからである。再閉可能パッケージは、何度も繰り返し開閉可能であることから有利でもある。しかし、パッケージの内容物の安全性や完全性を維持することが望まれるようないくつかの適用においては、再閉可能パッケージは、繰り返し開閉されること、また、一旦閉じられた後は再度開けられた又は不正に開けられた表示を残すことなく容易に開けられないことが望ましい。
このようにして、パッケージは、不正開封の表示を残さない再開の防止を予定して一旦閉じられた後再開された場合には、明らかに視認できる表示を残す。例えば、法的手続きにも使用できる証拠をパッケージに残すことが望まれる。このことは、パッケージの中に内容物を収容するために繰り返しパッケージを開閉すること、内容物が今後アクセスされないことを希望している場合は、内側に収容された証拠が、表示を残すことなくアクセスされる、すなわち改ざんされることを防止するようにパッケージを閉じることを要求する。同様に、後に内容物にアクセスすると表示が残るようにして閉じられるまでは繰り返し開閉できるパッケージに、現金や証券類を収容することが望まれる。開封表示付きパッケージの他の適用例も存在する。
【発明の開示】
【発明が解決しようとする課題】
【０００３】
従って、繰り返し開閉できるが、再び開けられた場合に表示を残すように閉じられるパッケージに対するニーズは存在する。
【課題を解決するための手段】
【０００４】
ある実施形態においては、再閉可能パッケージ用のジッパー式封緘具とともに使われるスライダ部材が開示される。スライダ部材は、天井壁と、天井壁から延設される第１の側壁と、天井壁から延設される第２の側壁を有している。これら天井壁、第１の側壁及び第２の側壁が、ジッパー式封緘具を受容する空洞を形成している。
スライダ部材は、天井壁、第１の側壁及び第２の側壁のうちの少なくとも１つに固定されているクリップを含む。このクリップは、第１の位置から第２の位置に移動することができる。第１の位置ではクリップは作用せず、第２の位置では、クリップはジッパー式封緘具を閉じ合わせるように作用する。
【０００５】
他の実施形態では、選択的に相互に咬合するように組み立てられ配置された第１のジッパープロフィールと第２のジッパープロフィールが付されたジッパー式封緘具を有する封緘組み立て部品が開示されている。
スライダ部材はジッパー式封緘具に沿ってスライドする。スライダ部材は、ジッパー式封緘具の上部に沿ってスライドする天井壁と、天井壁から延設され、ジッパー式封緘具の側面に沿ってスライドする第１の側壁と、天井壁から延設され、ジッパー式封緘具の側面に沿ってスライドする第２の側壁とを含む。これら天井壁、第１の側壁及び第２の側壁が、ジッパー式封緘具を受容する空洞を形成している。
スライダ部材は、天井壁、第１の側壁及び第２の側壁のうちの少なくとも１つに固定されているクリップを含む。このクリップは、第１の位置から第２の位置に移動することができる。第１の位置では、クリップはジッパー式封緘具から離れている。第２の位置では、ジッパー式封緘具を閉じ合わせる。
【０００６】
他の実施形態では、底、内部空間及び内部空間へアクセスする開口部を形成する包囲壁を有するパッケージが開示されている。封緘組み立て部品は、パッケージの開口部に位置している。封緘組み立て部品は、選択的に咬合するように組み立てられ配置された第１及び第２のジッパープロフィールと、ジッパー式封緘具に沿ってスライドするスライダ部材を有するジッパー式封緘具を含む。
スライダ部材は、ジッパー式封緘具の上部に沿ってスライドする天井壁と、天井壁から延設されジッパー式封緘具の側面に沿ってスライドする第１の側壁と、天井壁から延設されジッパー式封緘具の側面に沿ってスライドする第２の側壁とを含む。天井壁、第１の側壁及び第２の側壁が、ジッパー式封緘具を受容する空洞を形成している。天井壁、第１の側壁及び第２の側壁のうちの少なくとも１つに固定されているクリップもある。このクリップは、第１の位置から第２の位置に移動することができる。このクリップは、第１の位置では、ジッパー式封緘具からは離れており、第２の位置では、ジッパー式封緘具を閉じ合わせる。
【０００７】
他の実施形態では、開封表示付きジッパー式封緘具が開示されている。これは、咬合状態と分離状態との間を選択的に移動するように組み立てられ配置された組になっているプロフィールを含む第１の封緘具と、この第１の封緘具に隣接し選択的に咬合するように組み立てられ配置された組になっているプロフィールを含む第２の封緘具とを含む。第２の封緘具は、第２の封緘具が咬合されているとき、及び咬合された後少なくとも１度分離されたとき、開封されたことを示す開封表示構造を有する。
【０００８】
さらに別の実施形態では、パッケージを使用する方法が開示されている。パッケージは、内部空間、開口部、及び開口部に位置する封緘組み立て部品を形成するパッケージ包囲壁を含む。封緘組み立て部品は、ジッパー式封緘具と、ジッパー式封緘具上に操作可能に位置するスライダ部材とを含む。
パッケージを使用する方法は、クリップがジッパー式封緘具の一部を圧締して開口部を閉じている間に、スライダ部材を掴み、クリップを押し下げて、クリップをジッパー式封緘具の一部に対して押し当てながら、スライダ部材を第１の方向に移動することを含む。
【０００９】
本発明の前記要約は、本発明の例示された各実施形態を説明するためのものではない。後記する図及び詳細説明がより詳細にこれらの実施形態を例示する。
【発明の効果】
【００１０】
本発明は、多用なパッケージアレンジメントに対して適用可能であると信じられている。本発明は、ポリマパッケージのシールメカニズムに使用される際に特に効果があると考えられている。このようなパッケージアレンジメントに対する適用例の説明を通じて、本発明の多用な実施形態の評価が最もよく得られる。
【発明を実施するための最良の形態】
【００１１】
図１は、典型的には柔軟なポリマフィルムからなる第１のパネルセクション２２、及びこれに対向する第２のパネルセクション２４を含むパッケージ２０を示している。いくつかの製造適用例においては、第１及び第２のパネルセクション２２、２４は、パッケージ２０の内部３０に、３方をエッジとした製品保管セクションを形成するために折り線で折り返され、２つのエッジ２６、２８に沿って熱圧着されている。折り線は、ボトムエッジ３２を含む。
代替的に、ポリマフィルムの２つの分離したパネルセクション２２、２４が、２つのエッジ２６、２８とボトム３２において熱圧着されて使用されることもある。パネルセクション２２、２４は、パッケージ内部３０の範囲を画する包囲壁３４を有する。開口部３６を通じてパッケージ２０の内側３０へのアクセスが提供される。封緘組み立て部品３８は、開口部３６に隣接するパッケージ２０の一部である。
【００１２】
図２は、本開示に対応して作成された封緘組み立て部品３８の一例を示している。封緘組み立て部品３８は、スライダ部材４０とジッパー式封緘具４２を有している。図1では、封緘組み立て部品３８は、開口部３６に沿って包囲壁３４に取り付けられているところが示されている。例えば、封緘組み立て部品３８は、包囲壁３４に対して熱圧着されていてもよい。その他の取り付け方法も可能である。
【００１３】
ジッパー式封緘具４２は、第１の封緘具４６を形成する第１のジッパープロフィール４４と第２の封緘具５０を形成する第２のジッパープロフィール４８を有する。第１の封緘具４６は、選択的に咬合するように組み立てられ配置されている。封緘具４６の多くの実施形態が使用可能である。封緘具４６の１つの実施形態は、図９に示される再閉可能封緘具である。
図９に示される実施形態においては、再閉可能封緘具４６は、第１及び第２の対向面５２、５４を有している。第１の鉤形プロフィール部材５６が第１の対向面５２に取り付けられている。第２の鉤形プロフィール部材５８が第２の対向面５４に取り付けられている。示されている実施形態においては、特に、第１及び第２の鉤形プロフィール部材５６、５８は、Ｊ字形引っ掛け部を有している。
【００１４】
示された特定の実施形態では、再閉可能封緘具は、第１の鉤形プロフィール部材５６に隣接する第１の対向面５２に取り付けられた封緘ポスト６０を含む。第１の封緘ポスト６０と第１の鉤形プロフィール部材５６は、第１の面５２に沿って隙間６１を形成する。隙間６１は、その中に第２の鉤形プロフィール部材５８を受容する形状となっている。第１及び第２の鉤形プロフィール部材５６、５８は、選択的に咬合し、分離するように組み立てられ配置されている。特に、第１の鉤形プロフィール部材５６の端部６２は、第２の鉤形プロフィール部材５８の対向する端部６４と係合して、第１及び第２の鉤形プロフィール部材５６、５８を咬合させる。
第１及び第２の鉤形プロフィール部材５６、５８を分離するためには、第１の鉤形プロフィール部材５６と第２の鉤形プロフィール部材５８とを変形したうえでスライドさせて当接状態から外すのに十分な力が、封緘具４６を分離する方向に働かなければならない。後記するように、ある実施形態によれば、スライダ部材が鉤形プロフィール部材５６、５８を分離するために使用される。
【００１５】
第２の封緘具もまた、選択的に咬合するために組み立てられ配置される。封緘具５０の多くの実施形態が使用可能である。封緘具５０は、第１及び第２の対向面５２、５４に沿って、第１の再閉可能封緘具４６の付近に配置され得る。ある実施形態では、封緘具５０は、図９に示された実施形態に従って組み立てられた封緘具であってもよい。他の実施形態では、封緘具５０は開封表示付き封緘具であり、封緘具５０が咬合されているとき、及び１度咬合された後に少なくとも一度分離されたときに、開封されたことを示す開封表示構造を提供する。開封表示付き封緘具の１つの実施形態は、図１０に示されている。
【００１６】
図１０を参照すると、封緘具５０は、雄型プロフィール部材６８を有する第１のジッパープロフィール６６と、雌型プロフィール部材７２を有する第２のジッパープロフィール７０とを含む。雄型プロフィール部材６８と雌型プロフィール部材７２とは、選択的に咬合するように組み立てられ配置されている。雄型プロフィール部材６８は、楔形先端部７６と直線的背後部７８とを有する頭部７４及び頭部７４を第１のジッパープロフィール６６の残りの部分と結合する茎部８０とを含む。
【００１７】
引き続き図１０を参照すると、雌型部材７２は、雄型部材６８の頭部７４の先端部７６を受容する係入孔８６を形成する第１及び第２の腕部８２、８４を有する。雌型部材７２の各腕部８２、８４は、頭部７４が雌型部材７２の係入孔８６の中に位置するとき、頭部７４の背後部７８と噛み合うために、係入孔８６の側に延長された指部８８、９０を含む。
【００１８】
図１０においては、第２の封緘具５０は、第１のジッパープロフィール６６上に第１及び第２のポスト９２、９４を有する。雄型部材６８が雌型プロフィール部材７２内に位置するとき、第１のポスト９２は、雌型部材７２の第１の腕部８２に当接し、第２のポスト９４は、雌型部材７２の第２の腕部８４に当接する。
茎部８０は破断可能であり、第２の封緘具５０を分離する方向に十分な力が作用すると、茎部８０は、雄型プロフィール部材６８が雌型プロフィール部材７２から外れる前に破断される。茎部８０が破断されると、頭部７４は第１のジッパープロフィール６６から分離される。このことによって、第２の封緘具５０が不正開封された表示が提供される。
【００１９】
封緘組み立て部品３８は、スライダ部材４０を含む。スライダ部材４０は、ジッパー封緘具４２に沿ってスライドし、１つ以上の第１又は第２の封緘具４６、５０を選択的に圧締するように組み立てられている。スライダ部材４０の多くの実施形態が使用可能である。図３に、スライダ部材４０の１つの使用可能な実施形態の斜視図が示されている。
図３に示された実施形態において、スライダ部材４０は、天井壁９６、天井壁９６から延設される第１の側壁９８、及び天井壁９６から延設される第２の側壁１００を有する。天井壁９６、第１の側壁９８、及び第２の側壁１００は、ジッパー式封緘具４２を受容する空洞１０２を形成する。天井壁９６は、外面１０４と内面１０６を有する。内面１０６は図５において明記されている。
【００２０】
スライダ部材４０は、作用外の第１の位置から、第２の位置に移動可能な１つのクリップ１０８も有する。“作用外”とは、第１の位置においてはクリップ１０８がジッパー封緘具４２に対するスライダ部材４０の作用に関与しないことを意味する。クリップ１０８の多くの実施形態が可能である。
図３に、クリップ１０８の１つの実施形態の斜視図が示されている。図３に示される実施形態では、クリップ１０８は、天井壁９６、第１の側壁９８、及び第２の側壁１００のうちの少なくとも１つに固定されている。図３に示される実施形態では、クリップ１０８は、第１の壁１１０から延設される第１の脚部１１２、及び第１の壁１１０から延設される第２の脚部１１４を有している。図３に示される実施形態は、天井壁９６に対して固定されたクリップ１０８を示している。この実施形態では、可動ヒンジ１１６が、スライダ部材４０の天井壁９６をクリップの第１の壁１１０に固定するものとして示されている。
【００２１】
示されている実施形態において、スライダ部材４０の天井壁９６は、天井壁９６を貫通する隙間すなわち開口部１１８を有する。開口部１１８の大きさは、クリップ１０８の第１及び第２の脚部１１２、１１４が空洞１０２を通過することができるように決められる。スライダ部材４０の第１の側壁９８は、クリップ１０８の第１の脚部１１２を受容し得る大きさの第１の溝部１３４を有している。スライダ部材４０の第２の側壁１００は、クリップ１０８の第２の脚部１１４を受容し得る大きさの第２の溝部１３６を有している。
【００２２】
クリップ１０８は、図３で示される第１の位置から、図４で示される第２の位置へ移動可能である。第１の位置では、クリップ１０８は作用外であり、第２の位置では、ジッパー封緘具４２を係合させる作用を果たしている。図３に示される実施形態では、クリップ１０８の第１の位置において第１及び第２の脚部１１２、１１４は開口部１１８の外側にあり、クリップの第１の壁１１０は、天井壁９６に対して角度を維持している。
図４に示されるように、クリップ１０８が第２の位置にあるとき、第１及び第２の脚部１１２、１１４は、少なくとも部分的に空洞１０２の内部に入り込んでいる。表示された実施形態では、特に、第１及び第２の脚部１１２、１１４は実質的に全ての部分が空洞１０２の内側に入り込み、クリップの第１の壁１１０が天井壁９６に接している。天井壁９６上の開口部１１８を貫通してクリップ１０８を移動させることによって、クリップ１０８は第２の位置まで運ばれる。
【００２３】
ある実施形態においては、スライダ部材４０は、鋤すなわちスプリッタ１２０を含む。スプリッタ１２０は、スライダ部材４０がジッパー封緘具４２に沿ってスライドされるとき、ジッパー封緘具４２を少なくとも部分的に分離するように組み立てられ配置されている。
スプリッタ１２０の１つの実施形態が図５に示されている。示されているスプリッタ１２０は、天井壁９６の内面１０６から延設されており、一般的には楔形をしている。スプリッタは、スプリッタ１２０が内面１０６から突き出している距離として定義されるスプリッタの深度１２１によって特徴付けられる。スプリッタの深度１２１は、一般的に、ジッパー封緘具４２の天井面１３８から鉤形プロフィール部材５６のような最上の鉤形プロフィール部材までの距離よりも大きくない。
【００２４】
使用時には、スライダ部材４０がＡ（図１）の開方向にスライドされる又は移動されるにつれて、スプリッタ１２０は、第１の鉤形プロフィール部材５６と第２の鉤形プロフィール部材５８（図９）とが変形して互いに外れることを促し、第１の封緘具４６を分離させ開口させる。
図９に示される実施形態では、スプリッタ１２０は、第１及び第２の対向面５２、５４と当接する。その結果、スプリッタ１２０が開方向に移動する動きは、第１及び第２の対向面５２、５４を分離する力を発生させる。この分離する力は、面５２を介して第１の鉤形プロフィール部材５６に伝わり、面５４を介して第２の鉤形プロフィール部材５８に伝わる。その結果、各鉤形プロフィール部材が変形して外れることになる。
【００２５】
スライダ部材４０がジッパー封緘具４２に沿ってスライドしているとき、スプリッタ１２０は、第２の封緘具５０には作用していない。図８に示されるジッパー封緘具４２の実施形態では、ジッパー封緘具４２の面５２、５４は十分柔軟であるので、天井面１３８近傍でスプリッタ１２０が面５２、５４に対して及ぼす分離力は、第１の封緘具４６には有効に伝わるが、第２の封緘具５０には有効に伝わらない。
【００２６】
図６に示されるスライダ部材４０の実施形態を参照すると、スライダ部材４０の第１及び第２の側壁９８、１００は、ジッパー圧締領域１２４を決定する第１の幅１２２を決定する。第１の幅１２２は、第１及び第２の側壁９８、１００が、ジッパー封緘具４２の少なくとも一部を圧締するように決定される。
例えば、ある実施形態では、ジッパー圧締領域１２４のサイズは、第１及び第２の側壁９８、１００がジッパー封緘具４２の第１の封緘具４６を圧締し、かつ、第１の鉤形プロフィール部材５６と第２の鉤形プロフィール部材５８が咬合するように決定される。第１及び第２の側壁９８、１００は、ジッパー非圧締領域１２８を決定する第２の幅１２６も決定する。第２の幅は、典型的には、第１の幅より大きい。
さらに図６に示される実施形態では、第１及び第２の側壁９８、１００のそれぞれは、天井壁９６から離れた端に、鉤形構造１３０、１３２を有する。ジッパー非圧締領域１２８は、各鉤形構造１３０、１３２とジッパー圧締領域１２４との間に位置する。
【００２７】
スライダ部材４０は、ジッパー封緘具４２に係合するように形状が決められる。図８に特に示される実施形態を参照すると、ジッパー封緘具４２は、端面すなわち天井面１３８、第１の封緘具４６に対応する第１の領域１４０、第２の封緘具５０に対応する第２の領域１４２、及びパッケージサイドすなわち底面１４４を含む。
ある実施形態では、第２の領域１４２は、第１の領域１４０に比して外側に膨らんでいる。示された実施形態においては、底面１４４は、ジッパー封緘具４２の外側部分１４６と交差して、突出コーナー１４８を形成している。コーナー１４８と底面１４４は、スライダ部材４０をジッパー封緘具４２の上に維持するために使用されるレール１５０となる。
【００２８】
使用時、スライダ４０の内面１０２は、ジッパー封緘具４２の天井面１３８に係合し、それに沿ってスライドする。ジッパー圧締領域１２４は、第１の領域１４０に係合し、それに沿ってスライドし、ジッパー非圧締領域１２８は、第２の領域１４２に係合し、それに沿ってスライドする。
ジッパー圧締領域１２４は、一般的には、第１の領域１４０に当接し、第１の封緘具４６に対して圧縮加重すなわち圧締力を及ぼす。ジッパー非圧締領域１２８は、一般的には、第２の領域１４２との間に隙間を維持するか、又は第２の領域１４２に軽く当接する。その結果、ジッパー非圧締領域１２８は、第２の封緘具５０に対して有効な圧締力を及ぼさない。鉤形構造１３０、１３２はレール１５０に係合し、それに沿ってスライドする。
【００２９】
図１及び図２を参照すると、クリップ１０８が第１の位置にあるとき、スライダ部材４０を第１の方向Ｂ（図１）にジッパー封緘具４２に沿って水平に移動すると、ジッパー圧締領域１２４が第１の封緘具４６に対して圧締力を及ぼす。ある実施形態では、圧締力が、第１の鉤形プロフィール部材５６を第２の鉤形プロフィール部材５８と咬合させる。その結果、第１の封緘具４６は閉じられる。
その後、スライダ部材４０を、第１の方向とは逆の第２の方向（Ａ、図１）に水平に移動すると、スプリッタ１２０が第１の封緘具４６の第１及び第２の対向面５２、５４に割り込み、第１及び第２の鉤形プロフィール部材５６、５８に対して引き離す力を及ぼす。その結果、第１の封緘具４６は開かれる。クリップ１０８が第１の位置にある間は、第２の封緘具５０に対して圧締力は作用せず、雄型及び雌型プロフィール部材６６、７０は影響を受けない。
【００３０】
クリップ１０８が第２の位置に移動されているとき（図４）、スライダ部材４０を第１の方向（Ｂ）にジッパー封緘具４２に沿って水平に移動すると、ジッパー圧締領域１２４が第１の封緘具４６に及ぼす第１の圧締力と、クリップ１０８の第１及び第２の脚部１１２、１１４が第２の封緘具５０に及ぼす第２の圧締力の両方が発生する。特に、脚部１１２、１１４は、第２の領域１４２に押し当てられている。
ある実施形態では、第１の圧締力は、第１の鉤形プロフィール部材５６と第２の鉤形プロフィール部材５８とを咬合させ、その結果、第１の封緘具４６が閉じられる。第２の圧締力は、雄型プロフィール部材６６と雌型プロフィール部材７０とを咬合させ、その結果、第２の封緘具５０は閉じられる。その後、スライダ部材４０を、第１の方向とは逆の第２の方向（Ａ、図１）に水平に移動すると、スプリッタ１２０が第１の封緘具４６の第１及び第２の対向面５２、５４に割り込み、第１及び第２の鉤形プロフィール部材５６、５８に対して引き離す力を及ぼす。その結果、第１の封緘具４６は開かれる。
しかし、第２の封緘具５０の配置上の理由により、例えば、第２の封緘具５０が第１の封緘具４６から十分離れていることにより、第２の方向にスライダ部材を移動しても、第２の封緘具５０に対し十分な力が及ばず、第２の封緘具は開かなくなる。従って、一旦雄型及び雌型プロフィール部材が咬合すると、スライダ部材４０がさらに移動しても第２の封緘具５０が開くことはない。
【００３１】
第２の封緘具５０を開けるためには、ジッパー封緘具４２を手作業で分離するように、第２の封緘具に対して分離方向の力を及ぼすことが必要である。第２の封緘具５０に対して張力又は分離力を及ぼすとき、雄型プロフィール部材６６を雌型プロフィール部材７０から外すために必要な力の量は、雄型プロフィール部材６６を茎部８０にて破断するのに必要な力の量より大きい。従って、十分な分離力を加えると、雄型プロフィール部材６６が茎部８０で破断され、雄型プロフィール部材６６と雌型プロフィール部材７０との接合が解除され、その結果、第２の封緘具５０が開けられる。
しかし、破断された雄型プロフィール部材６６は、パッケージ１０が、第２の封緘具５０が閉じられた後、少なくとも１度は開けられた表示を残す。この表示が不正開封の証拠となる。
【００３２】
ジッパー封緘具４２は、典型的には、ポリマ材料を含む。代替的には、図７に示すように、ジッパー封緘具４２は、複数の材料を含んでもよい。例えば、ジッパー封緘具の第１の封緘具４６はポリエチレンのような第１の材料を含んでもよいし、ジッパー封緘具４２の第２封緘具５０は、ポリプロピレンのような第２の材料を含んでもよい。
【００３３】
パッケージ２０のようなパッケージを使用する方法が提供されている。パッケージ２０は、内部空間３０を決定するパッケージ包囲壁３４、開口部３６、及び開口部３６に位置する封緘組み立て部品３８を含む。
封緘組み立て部品３８は、ジッパー封緘具４２を含む。ある実施形態においては、パッケージを使用する方法は、スライダ部材４０のようなスライダ部材を掴むこと、スライダ部材４０の中に、クリップ１０８のようなクリップを押し下げること、及び、クリップ１０８がジッパー封緘具４２の一部を圧締して開口部３６を閉じている間に第１の方向にスライダ部材４０を移動すること、を含む。
図２に示される封緘組み立て部品３８の実施形態においては、クリップ１０８を押し下げると、第２の領域１４２が第２の封緘具５０に対応するように、第１及び第２の脚部１１２、１２４が、ジッパー封緘具４２の一部に係合する。スライダ部材４０が、ジッパー封緘具４２に沿って第１の方向に移動されている間は、クリップ１０８の脚部１１２、１１４は、第２の領域１４２に対して圧締力を及ぼす。すると典型的には、雄型プロフィール部材６６が雌型プロフィール部材７０と咬合する結果となる。雄型プロフィール部材６６が雌型プロフィール部材７０と咬合しているときは、第２の封緘具５０は、第２の封緘具５０の一部を破断することなく開けられることはできない。この使用方法は、第２の封緘具５０に対して分離力を及ぼすようにすることも含み得る。この場合、第２の封緘具５０が破断されパッケージ２０の内側３０へのアクセスが可能になる。
【００３４】
パッケージを使用する方法は、スライダ部材を掴んでクリップを押し下げるステップの前に、１つのステップを含む。そのステップは、スライダ部材を掴みスライダ部材を第１の方向に移動しジッパー封緘具の一部のみを圧締し、開口部を開封可能に閉じることを含む。
例えば、クリップ１０８が、スライダ部材４０の天井面９６から落とし込まれない場合、換言すれば、クリップ１０８が開口部１１８から引抜かれて作用外の位置にある状態でスライダ部材４０がジッパー封緘具４２に沿って第１の方向に移動される場合、スライダ部材４０の第１及び第２の側壁９８、１００は、第１の領域１４０に対してのみ圧締力を及ぼすことになる。第１の領域１４０に対して及ぼされる圧締力は、典型的には、第１および第２の鉤形部材５６、５８を咬合させ、開封可能な封緘状態を創る。圧締力が第２の領域には及ばないので、雄型プロフィール部材６６は雌型プロフィール部材７０と咬合しない。
【００３５】
ある実施形態では、クリップ１０８が作用する第２の位置にある状態で、スライダ部材４０が第２の封緘具５０の雄型部材６６と雌型部材７０を咬合させる方向に移動された後には、スライダ部材４０がジッパー封緘具４２から外されて廃棄され得るように、スライダ部材４０及びジッパー封緘具４２の形状が決定される。
【００３６】
一般的には、ジッパー封緘具を有する再閉可能パッケージにはスライダ部材が取り付けられる。スライダ部材は、天井壁、天井壁から延設される第１の側壁、天井壁から延設される第２の側壁を含み得る。天井壁、第１の側壁、及び第２の側壁は、ジッパー封緘具を移動可能に係入する空洞を形成する。スライダ部材は、天井壁、第１の側壁、及び第２の側壁の少なくとも１つに固定されているクリップを含み得る。クリップは作用外の第１の位置から第２の位置へ移動可能である。第２の位置では、クリップはジッパー封緘具に押し当てられる。
【００３７】
クリップは、第１の壁、第１の壁から延設される第１の脚部、及び第１の壁から延設される第２の脚部を含む。
クリップは、天井壁に固定され得る。
可動ヒンジがクリップの第１の壁と天井壁との間にあり、クリップを天井壁に固定している。
クリップの第１の位置においては、第１及び第２の脚部は空洞の外側にあってもよいし、クリップの第１の壁は天井壁に対してある角度をなしていてもよい。
クリップの第２の位置においては、第１及び第２の脚部は少なくとも一部が空洞の内側にあってもよいし、クリップの第１の壁は天井壁と接していてもよい。
天井壁は、開口部の形状を決定し、クリップが第１の位置から第２の位置に移動するとき、第１及び第２の脚部が開口部を通じて移動可能である。
【００３８】
スプリッタが天井壁から延設され得る。スライダ部材がジッパー封緘具に沿ってスライドするとき、ジッパー封緘具を少なくとも部分的に分離するように、スプリッタは組み立てられ配置されている。
第１及び第２の側壁はジッパー圧締領域を定める第１の幅を決定し得る。第１及び第２の側壁が、ジッパー封緘具の少なくとも一部を圧締するように、第１の幅は決定される。
第１及び第２の側壁はジッパー非圧締領域を定める第２の幅も決定し得る。第２の幅は、第１の距離より大きく定められる。第１及び第２の側壁は、それぞれ天井壁から離れた端に鉤形構造を有している。ジッパー非圧締領域は、各鉤形構造とジッパー圧締領域の間にあり、第１の側壁は第１の脚部を受容する大きさの第１の溝を形成し、第２の側壁は第２の脚部を受容する大きさの第２の溝を形成する。
【００３９】
クリップの第１の位置では、第１及び第２の脚部は空洞の外側にあり得る。そして、クリップの第２の位置では、第１及び第２の脚部は少なくとも一部が空洞の内側にあり得る。
天井壁は開口部の形状を決定し、クリップを第１の位置から第２の位置に移動させるために第１及び第２の脚部が開口部を通じて移動可能である。
第１及び第２の側壁はジッパー圧締領域を定める第１の幅を決定し得る。第１及び第２の側壁が、ジッパー封緘具の少なくとも一部を圧締するように、第１の幅は決定される。
第１及び第２の側壁はジッパー非圧締領域を定める第２の幅も決定し得る
第２の幅は、第１の距離より大きく定められる。
第１及び第２の側壁は、それぞれ天井壁から離れた端に鉤形構造を有し得る。ジッパー非圧締領域は、各鉤形構造とジッパー圧締領域の間にある。
第１の側壁は第１の脚部を受容する大きさの第１の溝を形成し得る。第２の側壁は第２の脚部を受容する大きさの第２の溝を形成する。
【００４０】
封緘組み立て部品は、選択的に咬合するように組み立てられ配置された第１及び第２のジッパープロフィールを有するジッパー封緘具、及びジッパー封緘具に沿ってスライドするようにできているスライダ部材を含む。
スライダ部材は、ジッパー封緘具の上部に沿ってスライドする天井壁、天井壁から延設されるジッパー封緘具の側面に沿ってスライドする第１の側壁、及び天井壁から延設されるジッパー封緘具の側面に沿ってスライドする第２の側壁を含む。天井壁、第１の側壁及び第２の側壁はジッパー封緘具を受容する空洞を形成し、クリップは、天井壁、第１の側壁及び第２の側壁の少なくとも１つに固定されている。クリップは第１の位置から第２の位置へ移動可能である。第１の位置では、クリップはジッパー封緘具から離れており、第２の位置では、クリップは、ジッパー封緘具に押し当てられている。
【００４１】
ジッパー封緘具は、第１及び第２のジッパープロフィールが形成する第２の封緘具を含み得る。第１の封緘具は、スライダ部材が第１の方向にジッパー封緘具に沿って移動するときに咬合するように組み立てられ配置されている。第２の封緘具は、スライダ部材が第１の方向にジッパー封緘具に沿って移動し、かつ、クリップが第２の位置にあるとき咬合するように組み立てられ配置されている。第２の封緘具は、クリップが第１の位置にあるときは咬合しないように組み立てられ配置されている。
【００４２】
スライダ部材は、天井壁から延設されるスプリッタをさらに含み得る。スプリッタは、スライダ部材が第１の方向とは反対の第２の方向にジッパー封緘具に沿って移動するとき、第１の封緘具を分離するように組み立てられ配置されている。
スライダ部材が第２の方向にジッパー封緘具に沿って移動しても、第２の封緘具はスプリッタによって分離されないように、スプリッタと第２の封緘具の位置が決定され得る。
クリップは、第１の壁、第１の壁から延設される第１の脚部、及び第１の壁から延設される第２の脚部を含み得る。
クリップは、天井壁に固定され得る。
可動ヒンジは、クリップを天井壁に固定するために、クリップの第１の壁と天井壁との間に配置され得る。
クリップの第１の位置においては、第１及び第２の脚部は空洞の外側にあり、クリップの第１の壁は天井壁に対してある角度をなしている。クリップの第２の位置においては、第１及び第２の脚部は少なくとも一部が空洞の内側にあり、第２の封緘具に対して押し付けられている。クリップの第１の壁は天井壁と接している。
【００４３】
天井壁は開口部の形状を決定し、クリップを第１の位置から第２の位置に移動させるために、第１及び第２の脚部が開口部を通じて移動可能である。
スプリッタは天井壁から延設され得る。スライダ部材がジッパー封緘具に沿って第１の方向とは反対の第２の方向にスライドするとき、第１の封緘具を分離するように、スプリッタは組み立てられ配置されている。
第１及び第２の側壁はジッパー圧締領域を定める第１及び第２の幅を決定し得る。第１及び第２の側壁が、第１の封緘具を圧締するように、第１の幅は決定される。第２の幅は、ジッパー非圧締領域を定める。第２の幅は、第１の距離より大きく、かつ第１及び第２の側壁が第２の封緘具を圧締しないように定められる。
第１及び第２の側壁は、それぞれ天井壁から離れた端に鉤形構造を有している。各鉤形構造はジッパー封緘具の外部にスライド可能に係合し得る。
第１の側壁は第１の脚部を受容する大きさの第１の溝を形成し得る。第２の側壁は第２の脚部を受容する大きさの第２の溝を形成し得る。
【００４４】
第２の封緘具は、第２の封緘具が咬合しているとき、及び咬合した後に少なくとも一度分離されたとき、開封されたことを示す開封表示構造を含み得る。
第２の封緘具は、第１のジッパープロフィール上の雄型プロフィール部材及び第２のジッパープロフィール上の雌型プロフィール部材を含み得る。
雄型プロフィール部材は、非拘束状態の頭部、及び頭部を第１のジッパープロフィールの残りの部分と結合する茎部を含む。雌型プロフィール部材は、雄型プロフィール部材を受容し、それと咬合する大きさに作られる。茎部は、破断可能であり、第２の封緘具に対し分離力が及んだとき、第１のジッパープロフィールの残りの部分から頭部を分離するために、破断される。
【００４５】
雌型プロフィール部材は、頭部が係入される大きさの係入孔を有する第１及び第２の腕部を含み得る。第１及び第２の腕部のそれぞれは、頭部が雌型プロフィール部材の係入孔に向かうとき頭部の基部と噛み合うための、係入孔側に延長された指部を含む。
【００４６】
第２の封緘具は、第１のジッパープロフィール上の第１及び第２のポストを含み得る。雄型プロフィール部材が雌型プロフィール部材の中に位置するとき、第１のポストは、第１の腕部に当接し、第２のポストは、第２の腕部に当接する。
【００４７】
クリップは、第１の壁、第１の壁から延設される第１の脚部、及び第１の壁から延設される第２の脚部を含み得る。天井壁は、開口部の大きさを決定し得る。クリップの第２の位置では、第１及び第２の脚部は、雄型プロフィール部材の頭部を雌型プロフィール部材の係入孔に咬合するために、少なくとも部分的に天井壁の開口部を貫通し空洞に入り込み、第２の封緘具に当接し押し当てられる。
【００４８】
第１の封緘具は、第１のジッパープロフィール上の第１の鉤形プロフィール部材を含み得る。第１の封緘具は、第２のジッパープロフィール上の第２の鉤形プロフィール部材を含み得る
。第１及び第２の鉤形プロフィール部材は、選択的に咬合し分離するように組み立てられ配置される。
【００４９】
第１の封緘具は、第１の鉤形プロフィール部材に隣接する第１のジッパープロフィール上の第１の封緘具ポストをさらに含み得る。第１及び第２の鉤形プロフィール部材が咬合するとき、第２の鉤形プロフィール部材は、第１の封緘具ポストと第１の鉤形プロフィール部材の間の隙間に受容される。
【００５０】
第１及び第２の側壁はジッパー圧締領域を定める第１の幅を決定し得る。第１及び第２の側壁が、第１の封緘具に対して押し付けられ第２の鉤形プロフィール部材を第１の封緘具ポストと第１の鉤形プロフィール部材との間の隙間に入れるように第１の幅は決定される。
第１及び第２の側壁はジッパー非圧締領域を定める第２の幅も決定し得る。第２の幅は、第１の距離よりも大きく、第１及び第２の側壁を第２の封緘具に押し当てることはない。
【００５１】
第１の封緘具は第２の封緘具と天井壁との間に配置され得る。ジッパー圧締領域は、ジッパー非圧締領域と天井壁との間に配置され得る。第１の封緘具は、第２の封緘具とスライダ部材の天井壁との間に配置され得る。
【００５２】
パッケージは、底を形成する包囲壁、内部空間、内部空間にアクセスするための開口部及び開口部に取り付けられる封緘組み立て部品を含んで提供される。
封緘組み立て部品は、選択的に咬合するように組み立てられ配置されている第１及び第２のジッパープロフィールを有するジッパー封緘具、及びジッパー封緘具に沿ってスライドするスライダ部材を含む。
スライダ部材は、ジッパー封緘具の上部に沿ってスライドする天井壁と、天井壁から延設されジッパー封緘具の側面に沿ってスライドする第１の側壁と、天井壁から延設されジッパー封緘具の側面に沿ってスライドする第２の側壁と、天井壁、第１の側壁及び第２の側壁の少なくとも１つに固定されたクリップとを含む。
第１の側壁及び第２の側壁は、ジッパー封緘具を受容する空洞を形成する。クリップは、第１の位置から第２の位置に移動可能である。
第１の位置では、クリップはジッパー封緘具から離れており、第２の位置では、クリップはジッパー封緘具に押し当てられている。
【００５３】
ジッパー封緘具は、第１及び第２のジッパープロフィールによって形成される第１及び第２のの封緘具を含み得る。
第１の封緘具は、スライダ部材が第１の方向にジッパー封緘具に沿って移動するときに、咬合するように組み立てられ配置されている。
第２の封緘具は、スライダ部材が第１の方向にジッパー封緘具に沿って移動し、かつ、クリップが第２の位置にあるときに、咬合するように組み立てられ配置されている。第２の封緘具は、クリップが第１の位置にあるときには咬合しないように組み立てられ配置されている。
【００５４】
スライダ部材は、天井壁から延設されるスプリッタをさらに含み得る。スプリッタは、スライダ部材が第１の方向とは反対の第２の方向にジッパー封緘具に沿って移動するとき、第１の封緘具を分離するように組み立てられ配置されている。スライダ部材が第２の方向にジッパー封緘具に沿って移動するとき、第２の封緘具はスプリッタによって分離されない。
【００５５】
クリップは、第１の壁、第１の壁から延設される第１の脚部、及び第１の壁から延設される第２の脚部を含み得る。
クリップは、可動ヒンジによって天井壁に固定され得る。クリップの第１の位置では、第１及び第２の脚部は、空洞の外側にあり得る。そして、クリップの第１の壁は、天井壁に対してある角度をなしている。クリップの第２の位置では、第１及び第２の脚部は少なくとも部分的に空洞の中に入っており、第２の封緘具に当接して押し付けられている。そしてクリップの第１の壁は、天井壁に当接している。
天井壁は、開口部の形状を決定し、クリップを第１の位置から第２の位置に移動させるために第１及び第２の脚部が開口部を通じて移動可能である。
【００５６】
第１及び第２の側壁はジッパー圧締領域を定める第１の幅を決定し得る。第１及び第２の側壁が、第１の封緘具を圧締するように第１の幅は決定される。
第１及び第２の側壁はジッパー非圧締領域を定める第２の幅も決定し得る。第２の幅は、第１の距離よりも大きく、第１及び第２の側壁を第２の封緘具に圧締させない。第１の側壁は、第１の脚部を受容する第１の溝部を形成する。第２の側壁は、第２の脚部を受容する第２の溝部を形成する。
【００５７】
第２の封緘具は、第２の封緘具が咬合しているとき、及び、咬合した後少なくとも１度分離されたときに開封されたことを示す開封表示構造を含み得る。
第２の封緘具は、第１のジッパープロフィール上の雄型プロフィール部材を含み得る。雄型プロフィール部材は、非拘束状態の頭部、及び頭部を第１のジッパープロフィールの残りの部分に結合する茎部を含む。
第２の封緘具は、第２のジッパープロフィール上の雌型プロフィール部材を含み得る。雌型プロフィール部材は、雄型プロフィール部材を受容しそれと咬合する大きさになっている。茎部は、破断可能であり、第２の封緘具に対して及んだ分離力に反応して頭部を第１のジッパープロフィールの残りの部分から分離する。
第１の封緘具は、第１のジッパープロフィール上の第１の鉤形プロフィール部材、及び第２のジッパープロフィール上の第２の鉤形プロフィール部材を含み得る。第１及び第２の鉤形プロフィール部材は、選択的に咬合し分離されるように組み立てられ配置されている。
【００５８】
第１の封緘具は、第２の封緘具とスライダ部材の天井壁との間に配置され得る。
第１の封緘具は、第１の材料を含み得る。第２の封緘具は、第１の材料とは異なる第２の材料を含み得る。
開封表示ジッパー封緘具は、選択的に咬合状態と分離状態との間を移動するように組み立てられ配置されているペアのプロフィールを含む第１の封緘具、及び第１の封緘具に隣接し、選択的に咬合するように組み立てられ配置されているペアのプロフィールを含む第２の封緘具を含んで提供される。
第２の封緘具は、第２の封緘具が咬合されているとき及び咬合された後少なくとも１度分離されたときに開封されたことを示す開封表示構造を含む。
【００５９】
第２の封緘具は、第１のジッパープロフィール上の雄型プロフィール部材を含み得る。雄型プロフィール部材は、非拘束状態の頭部、及び頭部を第１のジッパープロフィールの残りの部分に結合する茎部を含む。
第２の封緘具は、第２のジッパープロフィール上の雌型プロフィール部材を含み得る。雌型プロフィール部材は、雄型プロフィール部材を受容しそれと咬合する大きさになっている。茎部は、破断可能であり、第２の封緘具に対して及んだ分離力に反応して頭部を第１のジッパープロフィールの残りの部分から分離する。
【００６０】
雌型プロフィール部材は、頭部を受容する大きさの係入孔を有する第１及び第２の腕部を含み得る。第１及び第２の腕部のそれぞれは、頭部が雌型プロフィール部材の係入孔内に位置するとき頭部の基部と噛み合うための、係入孔側に延長された指部を含む。
第２の封緘具は、第１のジッパープロフィール上の第１及び第２のポストを含み得る。雄型プロフィール部材が雌型プロフィール部材の中に位置するとき、第１のポストは、第１の腕部に当接し、第２のポストは、第２の腕部に当接する。
【００６１】
第１の封緘具は、第１のジッパープロフィール上の第１の鉤形プロフィール部材を含み得る。第１の封緘具は、第２のジッパープロフィール上の第２の鉤形プロフィール部材を含み得る
。第１及び第２の鉤形プロフィール部材は、選択的に咬合し分離するように組み立てられ配置される。第１の封緘具は、第１の鉤形プロフィール部材に隣接する第１のジッパープロフィール上の第１の封緘具ポストを含み得る。第１及び第２の鉤形プロフィール部材が咬合されるとき、第２の鉤形プロフィール部材は、第１の封緘具ポストと第１の鉤形プロフィール部材の間に隙間を以って受容される。
【００６２】
第１の封緘具は、第１の材料を含み得る。第２の封緘具は、第１の材料とは異なる第２の材料を含み得る。
パッケージを使用する方法が提供される。パッケージは、内部空間を決定する包囲壁と、開口部と、開口部に位置する封緘組み立て部品を含む。封緘組み立て部品は、ジッパー封緘具と、ジッパー封緘具上を操作されるスライダ部材を含む。この方法は、スライダ部材を掴むこと、クリップをジッパー封緘具の一部に押し当てるためにクリップを押し下げること、及び、クリップがジッパー封緘具の部材を圧締して開口部を閉じる間にスライダ部材を第１の方向に移動することを含み得る。
【００６３】
スライダ部材を掴み、クリップを押し下げるステップの前に、この方法は、スライダ部材を掴み、スライダを第１の方向に移動し、ジッパー封緘具の第２の部分のみを圧締し、開口部を再開可能に閉じることも含む。
【００６４】
ジッパー封緘具は、第１の封緘具と第２の封緘具を含み得る。クリップがジッパー封緘具の部分を圧締して開口部を閉じる間にスライダを第１の方向に移動するステップは、クリップが第２の封緘具を圧締し開口部を閉める間にスライダを第１の方向に移動させることを含み得る。
【００６５】
スライダ部材を掴み、クリップを押し下げるステップの前に、この方法は、スライダ部材を掴み、スライダを第１の方向に移動し、第２の封緘具ではなく第１の封緘具のみを圧締し、開口部を開封可能に閉じることも含み得る。
【００６６】
スライダ部材を掴み、クリップを押し下げるステップは、１組の脚部を有するクリップにスライダ部材の天井壁の開口部を貫通させ、第２の封緘具に係合させることを含み得る。
【００６７】
クリップが第２の封緘具を圧締し、開口部を閉じる間に、スライダ部材を第１の方向に移動するステップは、第２の封緘具を固定状態にロックすることを含み得る。第２の封緘具は、第２の封緘具のある部分を破断することなく開けられることはできない。
クリップを使用して第２の封緘具を閉じるステップの後で、この方法は、第２の封緘具を破断することによって内部空間にアクセスすることを含み得る。
【００６８】
前記明細書と実施例によれば、本発明の実施形態を完全に実施し、使用することができると信じられている。本発明の多くの実施形態が本発明の主旨や範囲を逸脱することなく実施され得るので、本発明の真の主旨や範囲は、添付の特許請求の範囲が幅広く意味するところにある。
【図面の簡単な説明】
【００６９】
【図１】ジッパー封緘具とスライダ部材を含む封緘組み立て部品を有するパッケージの斜視図である。
【図２】図１に示された封緘組み立て部品の斜視図である。
【図３】作用外の第１の位置にクリップがある、図１、２に示されたスライダ部材の斜視図である。
【図４】作用する第２の位置にクリップがある、図３に示されたスライダ部材の斜視図である。
【図５】図３、４のスライダ部材の代替的な斜視図である。
【図６】作用外の第１の位置にクリップがある、図１〜５に示されたスライダ部材の端面図である。
【図７】封緘組み立て部品の代替的な実施形態である。
【図８】図１、２の封緘組み立て部品において使用可能なジッパー封緘具の端面図である。
【図９】図８のジッパー封緘具の再閉可能部分の拡大断面図である。
【図１０】図１、２の封緘組み立て部品において使用可能な開封表示封緘具の拡大断面図である。
【図１】
2009509648.tif 000003
【図２】
2009509648.tif 000004
【図３】
2009509648.tif 000005
【図４】
2009509648.tif 000006
【図５】
2009509648.tif 000007
【図６】
2009509648.tif 000008
【図７】
2009509648.tif 000009
【図８】
2009509648.tif 000010
【図９】
2009509648.tif 000011
【図１０】
2009509648.tif 000012
【国際調査報告】
2009509648.tif 000013
2009509648.tif 000014
2009509648.tif 000015